(57)【特許請求の範囲】
【請求項１】
フィルムに記録された画像を光電的に読み取ることにより得られた画像データに所定の画像処理を施し、出力用の画像データを得る画像処理装置であって、
前記フィルムを撮影したカメラのストロボの配光特性及び撮影距離を含む撮影情報を取得する撮影情報取得手段と、
前記画像を主被写体と背景とに分離する画像分離手段と、
前記画像分離手段で分離された主被写体及び背景のそれぞれの撮影距離に応じた前記ストロボの配光特性を読出し、それぞれの配光特性に基づいて、前記主被写体及び背景の光量調整量を演算する演算手段と、
前記演算手段で演算された光量調整量により前記主被写体及び背景の補正を行う補正手段と、
前記補正手段で補正された主被写体及び背景を結合する結合手段と、
を有する画像処理装置。
【請求項２】
前記結合手段での主被写体と背景との結合時にそれぞれの輪郭の濃度差を所定以下に抑制する濃度差抑制手段をさらに有する請求項１記載の画像処理装置。
【請求項３】
前記補正手段による補正を、画像が複数の画素として表現されている場合に、それぞれの画素毎の濃度に応じて、実質的に補正を行う比率を設定する設定手段をさらに有することを特徴とする請求項１又は請求項２記載の画像処理装置。
【請求項４】
前記画素の濃度がベース濃度に近いほど前記比率を下げ、ベース濃度に遠いほど前記比率を上げ、その中間的な濃度では連続的に変化する所定の特性曲線に応じて前記比率を設定することを特徴とする請求項３記載の画像処理装置。
【発明の詳細な説明】
【０００１】
【発明の属する技術分野】
本発明は、フィルムに記録された画像を光電的に読み取ることにより得られた画像データに所定の画像処理を施し、出力用の画像データを得る画像処理装置に関する。
【０００２】
【従来の技術】
近年では、写真フィルムに記録されたコマ画像をＣＣＤ等の読取センサによって光電的に読み取り、該読み取りによって得られたデジタル画像データに対し拡大縮小や各種補正等の画像処理を実行し、画像処理済のデジタル画像データに基づき変調したレーザ光により記録材料へ画像を形成する技術が知られている。
【０００３】
このようにＣＣＤ等の読取センサによりコマ画像をデジタル的に読み取る技術では、精度の良い画像読み取りを実現するために、コマ画像を予備的に読み取り（いわゆるプレスキャン）、コマ画像の濃度等に応じた読取条件（例えば、コマ画像に照射する光量やＣＣＤの電荷蓄積時間等）を決定し、決定した読取条件でコマ画像を再度読み取っていた（いわゆるファインスキャン）。
【０００４】
ここで、カメラでの撮影時にストロボを使用することがある。ストロボを発光させて撮影した場合、強制的に光量を増加させることができる反面、配光特性（光量分布）があるため、例えば画像の中心と周辺との明暗差が大きくなり、中心に位置する主被写体（人物）が白っぽくなり、周辺の背景が暗くなる傾向がある。
【０００５】
この場合、高価なカメラに装填するストロボであれば、光量を調整したり、光量分布がフラットになるように拡散板を介在させたり、間接照明にしたりすることも可能である。
【０００６】
【発明が解決しようとする課題】
しかしながら、特に、ＬＦ（レンズ付フィルム）においては、主被写体への光量を多くする設計のため（主被写体が存在する確率の高い画面中心部に光量を集中しているため、）、主被写体までの撮影距離に応じた配光特性と背景までの撮影距離に応じた配光特性との間に大きな差が生じる。
【０００７】
図６は、ＬＦ１００を用いて撮影者１０２が被写体（人物）１０４を中心として撮影する場面の側面図であり、被写体１０４の後方には壁１０６が配設されている。
【０００８】
この場合、撮影者１０２から被写体１０４までの撮影距離ｄと、撮影者１０２から壁１０６までの撮影距離ｄ’との間には、ｄ＜ｄ’の関係がある。
【０００９】
撮影者１０２が撮影するときのストロボ１００Ｓの配光特性の中心は、被写体１０４の位置では、図７（Ａ）に示される如く、被写体１０４の肩口近傍であり（図７（Ａ）の点ｄｃ参照）、壁１０６の位置では、図７（Ｂ）に示される如く、被写体１０４の首の後方位置となる（図７（Ｂ）点ｄ’ｃ  参照）。すなわち、撮影距離が長くなる従い、配光特性の中心が撮影画角の中心へ移動する。
【００１０】
ここで、被写体１０４及び壁１０６のそれぞれの配光特性（図８（Ａ）が被写体１０４の位置、図８（Ｂ）が壁１０６の位置）を比べると、明らかに壁１０６での配光特性の方が暗いことがわかる。
【００１１】
このように、主被写体と背景との間に明暗差があると、画像としては好ましくない。
【００１２】
本発明は上記事実を考慮し、カメラ等でストロボを使用して撮影した画像を光電的に読み取る場合に、主被写体と背景との間の明暗差を軽減することができる画像処理装置を得ることが目的である。
【００１３】
【課題を解決するための手段】
請求項１に記載の発明は、フィルムに記録された画像を光電的に読み取ることにより得られた画像データに所定の画像処理を施し、出力用の画像データを得る画像処理装置であって、前記フィルムを撮影したカメラのストロボの配光特性及び撮影距離を含む撮影情報を取得する撮影情報取得手段と、前記画像を主被写体と背景とに分離する画像分離手段と、前記画像分離手段で分離された主被写体及び背景のそれぞれの撮影距離に応じた前記ストロボの配光特性を読出し、それぞれの配光特性に基づいて、前記主被写体及び背景の光量調整量を演算する演算手段と、前記演算手段で演算された光量調整量により前記主被写体及び背景の補正を行う補正手段と、前記補正手段で補正された主被写体及び背景を結合する結合手段と、を有している。
【００１４】
請求項１に記載の発明によれば、撮影情報取得手段によって前記フィルムを撮影したカメラのストロボの配光特性及び撮影距離を含む撮影情報を取得する。
また、撮影した画像を光電的に読み取った後、例えばデジタル画像に変換することにより、主被写体と背景とを容易に分離することができる。このため、主被写体と背景との補正をそれぞれ別個に行う（背景のみの補正も含む）ことができ、より最適な補正が可能となる。
【００１５】
すなわち、ストロボによって撮影された画像は、撮影距離によりその配光特性が異なり、特に主被写体を中心とする配光特性を持つストロボでは、背景の光量が減少する傾向にある。そこで、上記演算によって光量の減量分を補正してやることにより、主被写体と背景との間の光量差による違和感を解消することができる。
【００１８】
請求項２に記載の発明は、前記請求項１に記載の発明において、前記結合手段での主被写体と背景との結合時にそれぞれの輪郭の濃度差を所定以下に抑制する濃度差抑制手段をさらに有することを特徴としている。
【００１９】
請求項２に記載の発明によれば、分離した画像を結合する際に、輪郭の濃度差を所定以下に抑制する濃度差抑制手段をさらに設けることにより、結合後の画像のつながりを滑らかにすることができる。この濃度差抑制手段としては、例えば、輪郭近傍の画像の濃度に重み付け処理を行い、急激な濃度の変化をなくせばよい。
【００２０】
請求項３に記載の発明は、前記請求項１又は請求項２記載の発明において、前記補正手段による補正を、画像が複数の画素として表現されている場合に、それぞれの画素毎の濃度に応じて、実質的に補正を行う比率を設定する設定手段をさらに有することを特徴としている。
【００２１】
請求項４に記載の発明は、前記請求項３に記載の発明において、前記画素の濃度がベース濃度に近いほど前記比率を下げ、ベース濃度に遠いほど前記比率を上げ、その中間的な濃度では連続的に変化する所定の特性曲線に応じて前記比率を設定することを特徴としている。
【００２２】
請求項３及び請求項４に記載の発明によれば、写真フィルムにおいてベース濃度に近い画素に対して補正を行うと、結果として不自然な絵柄となるため補正を行わず、ベース濃度から離れた画素ほど補正を行うようにする。これにより、全体の画像の不自然さを起こさずに、主被写体と背景との濃度差を無くすことができる。
【００２３】
なお、上記補正は、フルカラー画像の場合に、ＲＧＢの各色の分離して行っても良いし、例えば輝度信号を抽出して、ＲＧＢを一度に補正するようにしてもよい。
【００２４】
【発明の実施の形態】
図１及び図２には、本実施形態に係るディジタルラボシステム１０の概略構成が示されている。
【００２５】
図１に示すように、このディジタルラボシステム１０は、ラインＣＣＤスキャナ１４、画像処理部１６、レーザプリンタ部１８、及びプロセッサ部２０を含んで構成されており、ラインＣＣＤスキャナ１４と画像処理部１６は、図２に示す入力部２６として一体化されており、レーザプリンタ部１８及びプロセッサ部２０は、図２に示す出力部２８として一体化されている。
【００２６】
ラインＣＣＤスキャナ１４は、ネガフィルムやリバーサルフィルム等の写真フィルムに記録されているコマ画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。ラインＣＣＤスキャナ１４は、上記の読取対象のコマ画像をラインＣＣＤ３０で読み取り、Ａ／Ｄ変換部３２においてＡ／Ｄ変換した後、画像データを画像処理部１６へ出力する。
【００２７】
なお、本実施の形態では、２４０サイズの写真フィルム（ＡＰＳフィルム）６８を適用した場合のディジタルラボシステム１０として説明する。
【００２８】
画像処理部１６は、ラインＣＣＤスキャナ１４から出力された画像データ（スキャン画像データ）が入力されると共に、デジタルカメラ３４等での撮影によって得られた画像データ、原稿（例えば反射原稿等）をスキャナ３６（フラットベット型）で読み取ることで得られた画像データ、他のコンピュータで生成され、フロッピディスクドライブ３８、ＭＯドライブ又はＣＤドライブ４０に記録された画像データ、及びモデム４２を介して受信する通信画像データ等（以下、これらをファイル画像データと総称する）を外部から入力することも可能なように構成されている。
【００２９】
画像処理部１６は、入力された画像データを画像メモリ４４に記憶し、色階調処理部４６、ハイパートーン処理部４８、ハイパーシャープネス処理部５０等の各種の補正等の画像処理を行って、記録用画像データとしてレーザプリンタ部１８へ出力する。また、画像処理部１６は、画像処理を行った画像データを画像ファイルとして外部へ出力する（例えばＦＤ、ＭＯ、ＣＤ等の記憶媒体に出力したり、通信回線を介して他の情報処理機器へ送信する等）ことも可能とされている。
【００３０】
レーザプリンタ部１８はＲ、Ｇ、Ｂのレーザ光源５２を備えており、レーザドライバ５４を制御して、画像処理部１６から入力された記録用画像データ（一旦、画像メモリ５６に記憶される）に応じて変調したレーザ光を印画紙に照射して、走査露光（本実施の形態では、主としてポリゴンミラー５８、ｆθレンズ６０を用いた光学系）によって印画紙６２に画像を記録する。また、プロセッサ部２０は、レーザプリンタ部１８で走査露光によって画像が記録された印画紙６２に対し、発色現像、漂白定着、水洗、乾燥の各処理を施す。これにより、印画紙上に画像が形成される。
【００３１】
（ラインＣＣＤスキャナの構成）
次にラインＣＣＤスキャナ１４の構成について説明する。図１にはラインＣＣＤスキャナ１４の光学系の概略構成が示されている。この光学系は、写真フィルム６８に光を照射する光源６６を備えており、光源６６の光射出側には、写真フィルム６８に照射する光を拡散光とする光拡散板７２が配置されている。
【００３２】
写真フィルム６８は、光拡散板７２が配設された側に配置されたフィルムキャリア７４によって、コマ画像の画面が光軸と垂直になるように搬送される。
【００３３】
写真フィルム６８を挟んで光源６６と反対側には、光軸に沿って、コマ画像を透過した光を結像させるレンズユニット７６、ラインＣＣＤ３０が順に配置されている。なお、レンズユニット７６として単一のレンズのみを示しているが、レンズユニット７６は、実際には複数枚のレンズから構成されたズームレンズである。なお、レンズユニット７６として、セルフォックレンズを用いてもよい。この場合、セルフォックレンズの両端面をそれぞれ、可能な限り写真フィルム６８及びラインＣＣＤ３０に接近させることが好ましい。
【００３４】
ラインＣＣＤ３０は、複数のＣＣＤセル搬送される写真フィルム６８の幅方向に沿って一列に配置され、かつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。ラインＣＣＤ３０は、各センシング部の受光面がレンズユニット７６の結像点位置に一致するように配置されている。
【００３５】
また、図示は省略するが、ラインＣＣＤ３０とレンズユニット７６との間にはシャッタが設けられている。
（画像処理部１６の制御系の構成）
図３には、図１に示す画像処理部１６の主要構成である画像メモリ４４、色階調処理４６、ハイパートーン処理４８、ハイパーシャープネス処理５０の各処理を実行するための詳細な制御ブロック図が示されている。
【００３６】
ラインＣＣＤスキャナ１４から出力されたＲＧＢの各デジタル信号は、データ処理部２００において、暗時補正、欠陥画素補正、シェーディング補正等の所定のデータ処理が施された後、Ｌｏｇ  変換器２０２によってデジタル画像データ（濃度データ）に変換され、プレスキャンデータはプレスキャンメモリ２０４に記憶され、メインスキャンデータはメインスキャンメモリ２０６に記憶される。
【００３７】
プレスキャンメモリ２０４に記憶されたプレスキャンデータは、画像データ処理部２０８と画像データ変換部２１０とで構成されたプレスキャン処理部２１２に送出される。一方、メインスキャンメモリ２０６に記憶されたメインスキャンデータは、画像データ処理部２１４と画像データ変換部２１６とで構成されたメインスキャン処理部２１８へ送出される。
【００３８】
これらのプレスキャン処理部２１２及びメインスキャン処理部２１８では、画像をストロボを使用した撮影したときのストロボ配光特性に基づく補正等を実行する。
【００３９】
画像データ処理部２０８、２１６では、カラーバランス調整、コントラスト調整（色階調処理）、明るさ補正、彩度補正（ハイパートーン処理）、ハイパーシャープネス処理等が、ＬＵＴやマトリクス（ＭＴＸ）演算等の周知の方法で実行されるようになっている。
【００４０】
また、画像データ処理部２０８、２１６には、前記各調整、補正等の前に、画像の周辺（背景）の光量を補正する周辺光量補正部２２０、２２２が設けられている。
【００４１】
すなわち、この周辺光量補正部２２０、２２２では、カメラでの撮影時にストロボが使用されている場合に、このストロボの配光特性及び撮影距離に基づいて、主被写体（人物等）に対する、周辺（背景）の光量落ちを補正するようになっている。なお、この周辺光量補正部２２０、２２２における光量補正については、後述する。
【００４２】
プレスキャン側の画像データ変換部２１０では、画像データ処理部２０８によって処理された画像データを３Ｄ−ＬＵＴに基づいてモニタ１６Ｍへ表示するためのディスプレイ用画像データに変換している。一方、メインスキャン側の画像データ変換部２１６では、画像データ処理部２１４によって処理された画像データを、３Ｄ−ＬＵＴに基づいてレーザプリンタ部１８でのプリント用画像データに変換している。なお、上記ディスプレイ用の画像データと、プリント用画像データとは、表色系が異なるが、以下のような様々な補正によって一致を図っている。
【００４３】
すなわち、プレスキャン処理部２１２及びメインスキャン処理部２１８には、条件設定部２２４が接続されている。
【００４４】
条件設定部２２４は、セットアップ部２２６、キー補正部２２８、パラメータ統合部２３０とで構成されている。
【００４５】
セットアップ部２２６は、プレスキャンデータを用いて、メインスキャンの読取条件を設定し、ラインＣＣＤスキャナ１４に供給し、また、プレイスキャン処理部２１２及びメイスキャン処理部２１８の画像処理条件を演算し、パラメータ統合部２３０に供給している。
【００４６】
キー補正部２２８は、キーボード１６Ｋに設定された濃度、色、コントラスト、シャープネス、彩度等を調整するキーやマウスで入力された各種の指示等に応じて、画像処理条件の調整量を演算し、パラメータ統合部２３０へ供給している。
【００４７】
パラメータ統合部２３０では、上記セットアップ部２２６及びキー補正部２２８から受け取った画像処理条件をプレスキャン側及びメインスキャン側の画像データ処理部２０８，２１４へ送り、画像処理条件を補正あるいは再設定する。
【００４８】
また、条件設定部２２４には、フィルム特性記憶部２３２が接続されており、各種のフィルムの特性が記憶されている。
【００４９】
フィルムの特性とは、階調特性（γ特性）であり、一般には、露光量に応じて濃度が三次元的に変化する曲線で表される。なお、この点は周知の技術であるため、詳細な説明は省略する。
【００５０】
なお、フィルム種の特定は、本実施の形態であれば、ＡＰＳフィルムの磁気記録層にフィルム種を示す情報を記録しており、ラインＣＣＤスキャナ１４のキャリア７４での搬送時に、磁気ヘッドによって読み取ることが可能である。また、１３５サイズフィルムの場合には、その形状（幅方向両端に比較的短いピッチでパーフォレーションが設けられている）等で判断してもよいし、オペレータがキー入力するようにしてもよい。
【００５１】
また、条件設定部２２４は、ストロボ配光特性データ供給部２３４が接続されている。このストロボ配光特性データ供給部２３４は、カメラによって撮影するときに使用されるストロボを判別する情報を取得し、この取得したストロボ種情報に対応する配光特性を周辺光量補正部２２０、２２２へ供給するようになっている。
【００５２】
すなわち、ストロボ配光特性データ供給部２３４は、メモリ（テーブル）を有し、このメモリには、各種のカメラ種に応じたストロボ（例えば、ＬＦに適用されるストロボや、一般のカメラに内蔵されたストロボ、後付けタイプのストロボの全てを含むが、本実施の形態では主としてＬＦ用ストロボを補正のターゲットとしている。）の配光特性が記憶されている。この配光特性は、撮影距離によって異なるものであり、各ストロボ毎に撮影距離に応じた複数の配光特性が記憶されている。
【００５３】
図８（Ａ）及び図８（Ｂ）は、図６に示すような状況で、ＬＦ１００を用いて撮影したときの配光特性である。すなわち、図ＹＹＹでは、主被写（人物）１０４が、壁１０６の若干手前に立っている状態を示しており、撮影距離が、それぞれ被写体１０４までがｄ、壁１０６までがｄ’となっており、これらには、ｄ＜ｄ’の関係がある（従来技術の項参照）。この撮影距離の違いにより、配光特性が異なるため（図８（Ａ）及び（Ｂ）参照）、それぞれの撮影距離に応じた配光特性を記憶しておく必要がある。
【００５４】
ストロボ配光特性データ供給部２３４では、取得したストロボ判別情報及び撮影距離に応じて、配光特性を読出し、これを周辺光量補正部２２０、２２２へ供給するようになっている。なお、撮影距離は、ＡＰＳフィルムであれば、磁気記録層に記録しておけばよい。また、１３５サイズフィルム等であれば、光学的に記録したり、別体の記録媒体を用いてもよい。
【００５５】
周辺光量補正部２２０、２２２では、周知の画像抽出機能を有しており、主被写体と周辺（背景）とを分離し、一般に光量が落ちる背景のみに注目し、分離した背景画像に補正を加え、その後、主被写体と結合するようになっている。なお、結合時には、主被写体の輪郭をぼかし背景とのつながりを滑らか（極端な濃度差の軽減）にしている。具体的には、境界近傍に対応する画素を所定のテーブルに基づいて処理の重み付けを行うようにしている。
【００５６】
以下に、本実施の形態の作用を説明する。
【００５７】
オペレータがフィルムキャリア７４に写真フィルム６８を挿入し、画像処理部１６のキーボード１６Ｋによりコマ画像読取開始を指示すると、フィルムキャリア７４では、写真フィルム２２を搬送開始する。この搬送により、プレスキャンが実行される。すなわち、写真フィルム６８を比較的高速で搬送しながら、ラインＣＣＤスキャナ１４によって、画像コマのみならず、写真フィルムの６８の画像記録領域外の各種データを含めて、読み取っていく。なお、読み取った画像は、モニタ１６Ｍに表示される。
【００５８】
このとき、コマ画像のサイズを認識し、例えば、パノラマサイズのコマ画像である場合には、パノラマサイズの画像特有の素抜け部分（写真フィルムの幅方向両端側）を遮光する。
【００５９】
次に、各コマ画像のプレスキャンの結果に基づいてファインスキャン時の読取条件を各コマ画像毎に設定し、該プレスキャンの結果に基づいてファインスキャン時の読取条件が各コマ画像毎に設定されていく。
【００６０】
そして、全コマ画像に対するファインスキャン時の読取条件設定が終了すると、写真フィルム６８をプレスキャンとは逆方向に搬送し、各コマ画像のファインスキャンを実行する。
【００６１】
このとき、写真フィルム６８は、プレスキャン時とは逆方向に搬送されているため、最終コマから１コマ目まで順にファインスキャンが実行されていく。ファインスキャンは、前記プレスキャンに比べて搬送速度が遅く設定されており、その分、読取解像度が高くなる。また、プレスキャン時に、画像の状態（例えば、撮影画像アスペクト比、アンダー、ノーマル、オーバー、スーパーオーバー等の撮影状態やストロボ撮影の有無等）を認識しているため、適正な読取条件で読み取ることができる。
【００６２】
上記において、プレスキャンメモリ２０４にプレスキャンデータが記憶されると、プレスキャンデータ処理部２１２の周辺光量補正部２２０がこれを読出し、周辺光量補正を行う。以下、図４のフローチャートに従い、周辺光量補正手順について説明する。
【００６３】
ステップ１５０では、周辺光量補正部２２０において、プレスキャンメモリ２０４からプレスキャンデータを読出し、次いでステップ１５２でＲＧＢ毎にテーブル１を参照して、濃度Ｄ１を演算する。
【００６４】
次に、ステップ１５４において、テーブル２を参照して、フィルム特性記憶部２３２から読み出されたフィルム特性を用いて、撮影光量ｌｏｇＥ１  をを演算する。
【００６５】
一方、ステップ１５６では、処理すべき画像位置（ｘ，ｙ）を取得する。すなわち、画像の内、周辺画像である背景を抽出すべく、主被写体と分離した領域を取得する。次いでステップ１５８では、テーブル３を参照して、ストロボ配光特性データ供給部２３４から与えられた配光特性を用いてその画素における光量落ちを示す減光量ΔｌｏｇＥを演算する。
【００６６】
次に、ステップ１６０において、テーブル４を参照して、その画素に対してどの程度補正するかを示す重み計数ｋを求める。
【００６７】
周辺光量補正は、図５に示すように、未露光部分であるネガで最も明るいベース濃度付近は補正を行わず（図５の補正の程度ｌｏｗ）、ベース濃度から離れた部分に対してフルに補正を行い（図５の補正の程度ｈｉｇｈ）  、その中間領域に対して中間の補正を行う。これにより、ベース濃度付近で補正を行った結果、その周辺の濃度が上がることにより不自然な絵の発生を防止することができる。
【００６８】
ステップ１６２では、重み計数ｋと減光量ΔｌｏｇＥとを乗算し、補正すべき光量である補正光量ΔＶを演算する。次いで、ステップ１６４において、これを撮影光量ｌｏｇＥ１  に加算して、補正撮影光量ｌｏｇＥ２  を求める。
【００６９】
次に、ステップ１６６において、補正光量ｌｏｇＥ２  を再度、ネガ濃度Ｄ２に変換し、ステップ１６８で画像信号として出力する。
【００７０】
以上が、周辺光量補正部２２０におけるストロボを使用した撮影画像の濃度補正手順であり、条件設定部２２４のセットアップ部２２６では、前記周辺光量補正部２２０からの補正後のデータを受け取り、濃度ヒストグラムの作成、ハイライトやシャドー等の画像特徴量の演算等を行い、メインスキャンの読取条件を設定してラインＣＣＤスキャナ１４へ供給する。
【００７１】
なお、周辺光量補正が行われた画像は、その後ＬＵＴ、ＭＴＸで処理された後、シャープネス処理や覆い焼き処理等の必要な画像処理が施され、画像データ変換部２１０で変換されて、モニタ１６Ｍに表示される。
【００７２】
また、セットアップ部２２６では、階調調整やグレイバランス調整等の各種の画像処理条件を設定し、パラメータ統合部２３０へ供給する。
【００７３】
画像処理条件を受け取ったパラメータ統合部２３０では、これらをプレスキャン処理部２１２及びメインスキャン処理部２１８へ供給する。
【００７４】
メインスキャンは、ほぼプレスキャンと同様に行われ、ラインＣＣＤ３０からの出力信号は、Ａ／Ｄ変換器３２でデジタル信号とされ、画像処理部１６のデータ処理部２００で処理され、Ｌｏｇ  変換器２０２でメインスキャンデータとされてメインスキャンメモリ２０６に送られる。
【００７５】
メインスキャンデータがメイスキャンメモリ２０６に送られると、メインスキャン処理部２１８によって読み出され、メインスキャン処理部２１８において、前記プレスキャン処理部２１２における処理と同様の画像処理が行われ、画像データ変換部２１６でレーザプリンタ部１８に適した表色系の画像データに変換され、出力される。
【００７６】
このように、従来では、特に、ストロボ１００Ｓが内蔵されたＬＦ１００（共に図６参照）を用いて被写体（人物）１０４を壁１０６の若干前方に立たせた状態で撮影した場合、人物１０４と壁１０６とにおけるストロボ１００Ｓの配光特性の違いにより光量差が生じていた。
【００７７】
そこで、本実施の形態では、光量が落ちる壁１０６と、人物１０４とを分離し、背景である壁１０６のみを抽出し、この壁１０６までの撮影距離、ストロボ１００Ｓの配光特性に基づいて、減光分を補正（加算）することにより、主被写体と背景との光量差をなくすようにした。これにより、画像の品質が向上し、ＬＦ１００のような安価で簡易なカメラであっても、適正な写真画像を得ることができる。
【００７８】
なお、本発明はＬＦ１００に限らず、全てのストロボ撮影時に適用可能であるが、ＬＦ１００のように撮影距離に拘らず光量が常に一定の発光量のストロボが搭載されたカメラにおいて、特に顕著な効果を得ることができる。
【００７９】
【発明の効果】
以上説明した如く本発明に係る画像処理装置は、カメラ等でストロボを使用して撮影した画像を光電的に読み取る場合に、主被写体と背景との間の明暗差を軽減することができるという優れた効果を有する。
【図面の簡単な説明】
【図１】本発明の実施の形態に係るディジタルラボシステムの概略構成図である。
【図２】ディジタルラボシステムの外観図である。
【図３】画像処理部の制御ブロック図である。
【図４】ストロボ配光特性に基づく周辺光量補正手順を示すフローチャートである。
【図５】画像濃度に応じた周辺光量補正の程度を示す特性図である。
【図６】ＬＦを用い、ストロボを使用して撮影している状況を示す側面図である。
【図７】図６の状態で撮影した画像のストロボの発光中心位置を示す正面図であり、（Ａ）は人物付近、（Ｂ）は壁付近の発光中心位置を示す正面図である。
【図８】（Ａ）は図７（Ａ）の配光特性図、（Ｂ）は図７（Ｂ）の配光特性図である。
【符号の説明】
１０    ディジタルラボシステム
１４    ラインＣＣＤスキャナ
１６    画像処理部
６６    光源部
６８    写真フィルム
２００    データ処理部
２０２    ｌｏｇ  変換器
２０４    プレスキャンメモリ
２０６    メインスキャンメモリ
２０８    画像データ処理部
２１２    プレスキャン処理部
２１４    画像データ処理部
２１８    メインスキャン処理部
２２０、２２２    周辺光量補正部
２２４    条件設定部
２３４    ストロボ配光特性データ供給部
【図１】
0003576809.tif 000002
【図２】
0003576809.tif 000003
【図３】
0003576809.tif 000004
【図４】
0003576809.tif 000005
【図５】
0003576809.tif 000006
【図６】
0003576809.tif 000007
【図７】
0003576809.tif 000008
【図８】
0003576809.tif 000009